(57)【要約】      （修正有）【課題】薬剤・薬液などを用いずに、便器内部に発生した雑菌及び微生物を全て死滅させる弁座蓋を提供する。【解決手段】便座４後部開穴部位に相対する位置に円形組付けベース１６を施し、円形殺菌灯１と殺菌灯１内径に納まる半円球１０を有し、組付けベース１６内部全体に銀スプレーを施し、其れを覆う凸レンズ形状の石英ガラス保護カバー２が便座４後部開穴部に納まるよう形成し、組付ベース１６を別途製作することにより、既設弁座蓋においても便座蓋の形状を問わず設置可能とし、タイマー装置を備え、殺菌灯１の照射時間を設定出来る様にした。【選択図】図１
2014236948.tif 000002
【特許請求の範囲】
【請求項１】
便座蓋裏面に、便座後部開穴部位に相対する位置に円形組付けベースを施し、円形殺菌灯と殺菌灯内径に納まる半円球を有し、組付けベース内部全体に銀スプレーを施し、其れを覆う凸レンズ形状の石英ガラス保護カバーが便座後部開穴部に納まるよう形成された、便座蓋を有する洋式殺菌便器。
【請求項２】
組付けベースを別途製作することにより、既設便座蓋においても便座蓋の形状を問わず設置可能とした、洋便器用殺菌装置。
【請求項３】
タイマー装置を備え、照射時間を設定出来る洋便器用殺菌装置。
【発明の詳細な説明】
【技術分野】
【０００１】  本発明は洋式便器の内部全体に、付着した雑菌および微生物の殺菌に関する。
【背景技術】
【０００２】  従来の洋式便器においては、抗菌加工が施された物が有る。
【発明の概要】
【発明が解決しようとする課題】
【０００３】  しかしながら、抗菌加工が施されていても、加工面に付着した排尿水、埃などに、雑菌、微生物が繁殖する為、不衛生であった。
特に便座は肌が直接触れる部分であり、皮膚病等の感染が心配であった。
不特定多数の人が出入りする、病院、公共施設、パーキングエリア等では、様々な病原菌が持込まれる場所であり、皮膚病等の感鮮度は高く、特に注意が必要である。
従って、多くの人は使用時において、殺菌液付ペーパー等を用い便座面を除菌の上使用している。
しかしながら、除菌設備が施されていないトイレも多く、その為使用時において、便座上にロールペーパー等を重ね置きし使用している。
しかしながら、便意尿意など、突然もよおした時（特に下痢気味の人）除菌処理等を行う余裕は無く、雑菌、微生物が付着した便座に着座使用する事となり、不快な思いをする事となる。
特に潔癖症の人においては、精神的な苦痛においては大である。
本発明は、絶えず無菌状態の洋式便器の提供により上記課題を解決する。
【課題を解決する為の手段】
【０００４】  本発明は、便座蓋の内側に、紫外線を発する殺菌灯と石英ガラス保護カバーを備え、便器内部全体に紫外線を照射し、雑菌、微生物を死滅させる事により、上記課題を解決する。
【発明の効果】
【０００５】  本発明は、便器内部に紫外線を照射する事により、便器内部隅々に発生した雑菌微生物を全て殺菌死滅させる事が出来る。
紫外線は、十数秒の照射にて、（大腸菌）（黄色ぶどう菌）（サルモネラ菌）等の雑菌、微生物を、殺菌、死滅させる事が立証されている。
本発明を使用する事により、便座蓋、便座、便器内部を絶えず無菌状態に保つ事が出来る。
絶えず無菌状態である為、除菌の必要は無い、又ロールペーパー等を便座上に重ね置く必要もない。
頻繁に清掃を行う必要もない。
結果、薬液、除菌液、ロールペーパー等の使用量を最小限に抑える事が出来る為、資源の節約と共に、自然環境を護る事となる。
又清掃時において、無菌である為不快を感じる事無く行え、精神的にも良い。
尚紫外線殺菌灯は、紫外線放射時においてほとんど放熱しない。従って殺菌灯を覆う石英ガラスカバーが熱せられる事は無い。
よって、幼児等の弱い肌が石英ガラスカバーに直接触れても、火傷を負う事は無く安全である。
又、便座蓋内部においても菌は死滅しており、衣服等が便座蓋内部に触れても菌が付着する事は無い。
従って、安心して着座使用する事が出来る。
以上の理由により本発明は、皮膚病感染の不安、資源の保護、薬液、薬剤などによる水質汚染、心理的精神面等の問題を解決出来る。
又本発明は、紫外線殺菌灯、石英ガラスカバー、タイマー装置を備えただけのシンプルな物である為、安価にて提供出来る。
【図面の簡単な説明】
【０００６】
【図１】  殺菌便器紫外線放射図及び配置側面図
【図２】  平面配置図１／５
【図３】  便座蓋組付けベース底面平面図１／２
【図４】  後付用殺菌装置左側面断面図１／２
【図５】  殺菌装置各パーツ組付順断面図
【発明を実施するための形態】
【０００７】  本発明は、図１が示すように組付けベース１６が施された、便座蓋３に石英ガラスカバー２に護られた殺菌灯１が便器内部全体に、紫外線が照射されるように取り付けられている。
尚電源は、ウォシュレット本体５より配線路８を通し配線され、石英ガラスカバー２内にて接続される。
電源のＯＮ／ＯＦＦは、便座蓋３の開閉にて行なわれる。
又蛍光灯安定機１２は、タイマー１３と共に点検蓋７を備えたウォシュレット本体５に納める物とした。図２
【実施例】
【０００８】  本発明は図１が示すように、便器蓋３に配線路８と共に組付けベース１６が施されている。組付けベースには反射板１０と、殺菌灯１が組込まれている。
又其れを覆う石英ガラスカバー２があえて突出した状態で、組込まれている。
尚反射板及び組付けベース内面部には、銀スプレーが塗布されている。其れにより組付けベース面に照射された紫外線は、便器内部に向け拡散光となり反射され、更に殺菌力は高まる。これにより、雑菌、微生物の殺菌時間を短縮出来る為、短時間での多くの利用者にも対応出来る物とした。
本装置を突出して取付ける事により、殺菌灯１より発せられた紫外線は、便座蓋３の内側と共に、便座４及び便器６内部に照射される。
放射された紫外線は、反射板１０及び便器内部の曲面壁にて乱反射され、便座蓋、便座、便器本体内部の隅々まで照射される。図１
これにより便器内の至るところに発生した、雑菌、微生物は死滅する。
尚殺菌灯の形状を円形とし、より多くの紫外線を発生照射出来る物とした。
これにより殺菌効果は高まり、更に照射時間を短縮出来る物とした。
尚紫外線の殺菌力は強力であり、長時間の照射は必要としない。
従ってタイマー装置１３を施し、秒単位で照射時間を調整出来る物とした。
蛍光灯安定機１２及びタイマー装置１３は、ウォシュレット本体５に組込む物とし、組込み部分には点検蓋７を設け、タイマー調整及び点灯管の取替が行なえる物とした。図２
尚本発明装置は、通常便座の開穴部に納まるように設計されており、組付けベース図４を別途製作する事により、既設便器にも取付可能な物とした。
便座蓋が施されている便器であれば、形状を選ばず本発明装置を、装着使用する事が出来る。
尚組付けベース１６と、石英ガラスカバー２の接点には、清掃時及び男子排尿時において、石英ガラスカバー２内への清掃水、排尿水の浸水を防ぐ為ゴムパッキン１８を施し、更に殺菌灯、設置部廻りには、水返しを施した。図３  図４
これによりゴムパッキンの劣化により浸水しても、水及び排尿水が殺菌灯に触れる事はない。
又組付けベース１６後部には、放熱穴１４と配線路８が施されている。図３  図４
又石英ガラスカバー２の背高は低く、着座使用時において既設便座蓋に設置しても邪魔にならない物とした。
又石英ガラスカバー２は、ガラスの厚みと共に、凸レンズ形状にする事により強固な物となり、安心して着座使用出来る物とした。
尚紫外線の照射は、便座蓋３の開閉によって、停止、作動する物とした。
便座蓋が閉じられた時電源は入り、タイマー１３によって定められた時間紫外線は、便器内部全体に照射される。
又紫外線の照射中であっても、便座蓋が上方向に開動されると同時に電源は切れ、紫外線の照射は停止する物とした。
これにより、紫外線が目に触れる事は無く安全な物とした。
尚便座蓋は、閉め忘れなどを防ぐ為、自動開閉装置機能付が望ましい。【０００９】上記に示したように、本発明装置の組付けベースを別途製作する事により、既設便器に使用する事が出来る。尚取付方法は接着にて取付可能な物とした。又電源においては、配線カバーを用いて配線する物とする。尚、蛍光灯安定機及びタイマー装置は、点検蓋を施した同一ケース内に納め、設置場所を選ばず何処にでも取付可能な物とする。尚紫外線始動停止スイッチは、新たに備える物とする。
【符号の説明】
【００１０】０１  殺菌灯                          １２  蛍光灯安定機
０２  石英ガラスカバー                １３  タイマー
０３  組付けベース付便座蓋            １４  放熱及び水抜き
０４  便座                            １５  配線穴
０５  ウォシュレット本体              １６  組付けベース
０６  便器本体                        １７  蛍光受
０７  点検蓋                          １８  ゴムパッキン
０８  配線路                          １９  電源接続スペース
０９  電源配線                        ２０  殺菌灯スイッチ
１０  反射板                          ２１  両面テープ
１１  水返し                          ２２  石英ガラスカバー固定リング
【図１】
2014236948.tif 000003
【図２】
2014236948.tif 000004
【図３】
2014236948.tif 000005
【図４】
2014236948.tif 000006
【図５】
2014236948.tif 000007